(57)【要約】【課題】入力画像を、斜めから見た場合に識別可能であり色ずれのない画像に、高速に変換する画像変換装置を実現する。【解決手段】本発明の液晶表示装置（画像変換装置）１は、外部から入力された画像信号が表わす画像を構成する各ユニットに対して、画像全体の特性値、及び、自ユニットに隣接する画像の特性値の少なくとも１つ、並びに、自ユニットの輝度値を用いて、使用するルックアップテーブルを選択し、選択したルックアップテーブルを用いて入力された画像信号を、明画像を表わす画像信号と暗画像を表わす画像信号とに変換するインターフェイス回路２と、変換して得られる画像信号を元に明画像、及び、暗画像を合成して画像を液晶パネル４に表示するための液晶駆動回路３とを備えているので、ユーザが斜めから見た場合に表示内容が識別可能であって、色ずれのない画像に、高速に変換することができる。【選択図】図１
2010014909.tif 000002
【特許請求の範囲】
【請求項１】
入力画像を出力画像に変換する画像変換装置であって、
上記入力画像の領域を分割して得られる複数の領域の各々を表わすユニットに関する特性値を、ユニット特性値として算出するユニット特性値算出手段と、
上記ユニットに隣接する複数の画素を少なくとも含む所定の画像領域から、当該画像領域に関する特性値を、画像領域特性値として算出する画像領域特性値算出手段と、
各入力輝度値に対して暗輝度値を対応付けた複数の異なる暗ルックアップテーブルのうち、上記ユニット特性値および画像領域特性値の組み合わせに対応する暗ルックアップテーブルを用いて、上記入力画像を構成する各画素の輝度値を、当該輝度値に対応する上記暗輝度値に変換することによって、暗画像を生成する暗画像生成手段と、
各入力輝度値に対して、当該入力輝度値に対応する上記暗輝度値以上の値の明輝度値を対応付けた複数の異なる明ルックアップテーブルのうち、上記ユニット特性値および画像領域特性値の組み合わせに対応する明ルックアップテーブルを用いて、上記入力画像を構成する各画素の輝度値を、当該輝度値に対応する上記明輝度値に変換することによって、明画像を生成する明画像生成手段と、
上記明画像および上記暗画像を、上記ユニットごとに混合することによって上記出力画像を生成する画像生成手段とを備えている画像変換装置。
【請求項２】
上記所定の画像領域は、上記入力画像の全領域であることを特徴とする、
請求項１に記載の画像変換装置。
【請求項３】
上記所定の画像領域は、上記ユニットに隣接する複数の画素からなる領域であることを特徴とする、
請求項１に記載の画像変換装置。
【請求項４】
上記画像領域特性値は、上記画像領域に含まれる画素の輝度の平均値を含むことを特徴とする、
請求項１から３までのいずれか１項に記載の画像変換装置。
【請求項５】
上記画像領域特性値は、上記画像領域に含まれる画素の輝度の最大値と最小値との平均値を含むことを特徴とする、
請求項１から３までのいずれか１項に記載の画像変換装置。
【請求項６】
上記画像領域特性値は、上記画像領域に含まれる画素の輝度の最頻値を含むことを特徴とする、
請求項１から３までのいずれか１項に記載の画像変換装置。
【請求項７】
上記暗画像生成手段は、
上記ユニットに含まれる画素の輝度の平均値から上記画像領域に含まれる画素の輝度の平均値を減じた値が小さくなるほど、上記ユニットに含まれる画素の輝度の平均値に対して対応づけられた上記暗輝度値が小さい上記暗ルックアップテーブルを用いて暗画像を生成し、
上記明画像生成手段は、
上記ユニットに含まれる画素の輝度の平均値から上記画像領域に含まれる画素の輝度の平均値を減じた値が小さくなるほど、上記ユニットに含まれる画素の輝度の平均値に対して対応づけられた上記明輝度値が大きい上記明ルックアップテーブルを用いて明画像を生成することを特徴とする、
請求項４に記載の画像変換装置。
【請求項８】
請求項１から７までのいずれか１項に記載の画像変換装置を備え、
上記画像変換装置によって入力画像から変換された出力画像を表示することを特徴とする液晶表示装置。
【請求項９】
負の誘電率異方性を有し、電圧無印加時に略垂直配向する液晶分子を含む液晶層を備えていることを特徴とする、
請求項８に記載の液晶表示装置。
【請求項１０】
入力画像を出力画像に変換する画像変換方法であって、
上記入力画像の領域を分割して得られる複数の領域の各々を表わすユニットに関する特性値を、ユニット特性値として算出するユニット特性値算出工程と、
上記ユニットに隣接する複数の画素を少なくとも含む所定の画像領域から、当該画像領域に関する特性値を、画像領域特性値として算出する画像領域特性値算出工程と、
各入力輝度値に対して暗輝度値を対応付けた複数の異なる暗ルックアップテーブルのうち、上記ユニット特性値および画像領域特性値の組み合わせに対応する暗ルックアップテーブルを用いて、上記入力画像を構成する各画素の輝度値を、当該輝度値に対応する上記暗輝度値に変換することによって、暗画像を生成する暗画像生成工程と、
各入力輝度値に対して、当該入力輝度値に対応する上記暗輝度値以上の値の明輝度値を対応付けた複数の異なる明ルックアップテーブルのうち、上記ユニット特性値および画像領域特性値の組み合わせに対応する明ルックアップテーブルを用いて、上記入力画像を構成する各画素の輝度値を、当該輝度値に対応する上記明輝度値に変換することによって、明画像を生成する明画像生成工程と、
上記明画像および上記暗画像を、上記ユニットごとに混合することによって上記出力画像を生成する画像生成工程とを含んでいる画像変換方法。
【請求項１１】
請求項１から７までのいずれか１項に記載の画像変換装置を動作させるプログラムであって、コンピュータを上記の各手段として機能させるための画像変換プログラム。
【請求項１２】
請求項１１に記載の画像変換プログラムを記録しているコンピュータ読み取り可能な記録媒体。
【発明の詳細な説明】
【技術分野】
【０００１】
本発明は、斜めから見た場合に色ずれがほとんど生じないように画像を高速で変換する画像変換装置、画像変換方法、液晶表示装置、画像変換プログラム、及び、記録媒体に関する。
【背景技術】
【０００２】
液晶パネル、特にＶＡ（垂直配向）型の液晶パネルにおいて、正面から見た場合における画像と、斜めから見た場合における画像とで見た目の印象が異なるという現象が生じる。この現象はＶＡ型の液晶パネルにおいて、斜めから見た場合において画像が淡く白っぽく見えるため、一般に白茶け現象と呼ばれている。
【０００３】
また、白茶け現象は特にＶＡ（垂直配向）型の液晶パネルにおいて、正面から見た場合の画像の階調−輝度特性と、斜めから見た場合の画像の階調−輝度特性とにズレが生じるために発生する現象である。ここで、階調−輝度特性のズレとは、具体的には図１２に示すように、正面から見た場合の画像は、階調値が大きくなるほど輝度が大きくなるが、斜めから見た場合の画像は、ある階調の範囲において階調値が大きくなっても、輝度が大きくならなかったり、逆に輝度が小さくなったりすること（階調反転）である。
【０００４】
図１３は、白茶け現象が発生する画像を、正面から見た場合の画像（ａ）と、斜めから見た場合の画像（ｂ）を示す図である。この画像は、駆動電圧が１Ｖの画像領域３１、駆動電圧が３Ｖの画像領域３２、及び、駆動電圧が５Ｖの画像領域３３で構成されている。
【０００５】
この画像を正面から見た場合、階調値が大きくなるほど輝度が大きくなるために、図１３（ａ）のように、階調値が大きくなるほど明るく表示されるが、斜めから見ると、階調反転が発生するために、図１３（ｂ）の画像領域３２のように、画像領域３３よりも階調が小さいにも関わらず、明るく見えてしまう。
【０００６】
この白茶け現象を解決する画像処理方法が特許文献１に開示されている。
【０００７】
具体的には、特許文献１に開示されている画像処理方法の一実施形態において、元画像の各画素の入力階調に対してルックアップテーブル（ＬＵＴ）を用いて、入力階調に対応する明暗２つの出力階調を作成し、元画像の各画素を、作成された出力階調が明るい画素と出力階調が暗い画素とを組み合わせた複数の画素に置き換えたり（空間分割）、元画像の各画素を出力階調が明るい画素に置き換えた画像フレームと元画像の各画素を出力階調が暗い画素に置き換えた画像フレームとを交互に表示したり（時間分割）、空間分割及び時間分割を組み合わせたりしている。
【０００８】
図１４は、上記画像処理方法を用いて得られる画像を斜め６０度から見た場合の階調−輝度特性を示している。点線で示された曲線が、上記画像処理方法を用いて得られる画像の階調−輝度特性であり、その他の曲線が、上記画像処理方法を用いずに得られる画像の階調−輝度特性を示している。また、図１５は、図１３における白茶け現象が発生する画像を上記画像処理方法を用いて変換し、変換によって得られた画像を正面から見た場合の画像（ａ）と、変換によって得られた画像を斜めから見た場合の画像（ｂ）を示す図である。この画像は、駆動電圧が１Ｖの画像領域４１、駆動電圧が１Ｖの暗領域と駆動電圧が５Ｖの明領域とを組み合わせて表示する画像領域４２、及び、駆動電圧が５Ｖの画像領域４３で構成されている。上記画像処理方法を行わない場合に白茶け（階調反転）が発生する中間調領域（駆動電圧３Ｖ付近）の画像を、駆動電圧１Ｖの暗領域と駆動電圧５Ｖの明領域とを組み合わせて表示することにより、斜めから見ても階調反転が起こらないことがわかる。
【０００９】
しかし、上記実施形態に係る画像処理方法には、斜めから見た場合における画像において白茶け現象を抑えることはできるものの、輝度が低下してしまうという問題が生じる。
【００１０】
図１７は、上記画像処理方法を用いて得られる画像を斜め６０度から見た場合の階調−輝度特性を示している。点線で示された曲線が、上記画像処理方法を用いて得られる画像の階調−輝度特性であり、その他の曲線が、上記画像処理方法を用いずに得られる画像の階調−輝度特性を示している。図１７の上記画像処理方法を用いて得られる画像を斜め６０度から見た場合の階調−輝度特性は、上記画像処理方法を用いずに得られる画像を斜め６０度から見た場合の階調−輝度特性に比べて、特に中間調領域において輝度が低下していることがわかる。
【００１１】
図１８は、低階調領域６１、中間調領域６２、及び、高階調領域６３で構成されている画像である。図１８（ａ）、図１８（ｂ）は両方とも、低階調領域６１が１Ｖの画素で構成されており、高階調領域６３が、５Ｖの画素で構成されている。また、図１８（ａ）の中間調領域６２は、３Ｖの画素で構成されており、図１８（ｂ）の中間調領域６２は１Ｖの画素と５Ｖの画素の組み合わせで構成されている。図１８（ｂ）の中間調領域６２は、図１８（ａ）の中間調領域６２に比べ輝度が小さく、低階調領域６１との境界線が見づらくなる。さらに、画像を構成する各画素の駆動電圧の範囲が１．０Ｖ〜３．５Ｖであるような状態の場合、上記実施形態に係る画像処理方法を用いなくても階調反転が起こらないので、画像処理方法を用いた場合に、輝度が小さくなるというデメリットだけが生じることになる。
【００１２】
上記の輝度が低下してしまう問題を解決する画像処理方法が特許文献１の別の一実施形態に開示されている。
【００１３】
上記別の一実施形態に係る画像処理方法の一実施例は、図１９に示すように、複数のルックアップテーブルを用い、各画素のＲＧＢ毎に適用するルックアップテーブルを変えることにより、輝度の低下を抑えている。具体的には、各画素のＲＧＢのうち、輝度が最大のものには、明暗２つの出力画素の輝度差が小さくなるルックアップテーブルを用い、輝度が最小のものには輝度差が大きくなるルックアップテーブルを用い、輝度が最大でも最小でもないものには輝度差が中程度となるルックアップテーブルを用いる。
【００１４】
上記のようにＲＧＢの輝度差に応じて、ルックアップテーブルを使い分けることにより、白茶け現象を抑えながら、輝度が低下してしまう現象を抑えることができる。
【００１５】
しかしながら、上記従来の構成では、正面から見た場合における画像の明るさと、斜めから見た場合における画像の明るさの差を小さくすることはできるものの、斜めから見た場合の画像において、原理上色差が開くために画像によっては色ずれが発生するという問題を生じる。
【００１６】
図２０（ｂ）は、上記別の一実施形態に係る画像処理方法を用いて得られる画像を斜めから見た場合における画像であり、図２０（ｃ）は、正面から見た場合の画像である。また、図２０（ａ）は入力画像である。
【００１７】
図２０（ａ）のように、入力画像を構成する多くの画素において、当該画素を構成するＲＧＢの輝度がＢ＞Ｇ＞Ｒである場合、上記別の一実施形態に係る画像処理方法を用いて処理した画像は、斜めから見るとＢがより明るく、Ｒがより暗くなるため、色見が全体的に水色がかってしまう。
【００１８】
上記の色ずれが発生する問題を解決する画像処理方法が特許文献１の上記別の一実施形態に係る別の一実施例に開示されている。
【００１９】
上記別の一実施形態に係る画像処理方法の別の一実施例には、所定範囲内の輝度分布に対する特定画素の輝度により処理すること、及び、ある画素の輝度と当該画素に隣接するｎ個の画素との輝度との関係で輝度差を変えることが開示されている。この実施例において、上記画像処理方法は、斜めから見た場合に色ずれが発生するという問題を解決することができる。
【特許文献１】特開２００４−３０２２７０公報（２００４年１０月２８日公開）
【発明の開示】
【発明が解決しようとする課題】
【００２０】
しかしながら、上記従来の構成では、所定範囲内の輝度分布に対する特定画素の輝度により処理すること、及び、ある画素の輝度と当該画素に隣接するｎ個の画素との輝度との関係で輝度差を変えることにより、色ずれが発生する問題を解決するものの、隣接する１からｎ個の画素の輝度を１つ１つ参照して計算するために処理に時間がかかるという問題を生じる。
【００２１】
本発明は、上記の問題点に鑑みてなされたものであり、その目的は、自ユニットに隣接する（または画像全体の）画素の特性（輝度の最大値、最小値、及び、平均値など）を算出し、これらの値を用いて計算することにより、簡略かつ効率的に、色ずれの発生がないように画像を変換する画像変換装置、画像変換方法、画像変換プログラム、及び、記録媒体を実現することにある。また、このような画像変換装置を備えた液晶表示装置を実現することも本発明の目的の一つである。
【課題を解決するための手段】
【００２２】
本発明に係る画像変換装置は、上記課題を解決するために、
入力画像を出力画像に変換する画像変換装置であって、
上記入力画像の領域を分割して得られる複数の領域の各々を表わすユニットに関する特性値を、ユニット特性値として算出するユニット特性値算出手段と、
上記ユニットに隣接する複数の画素を少なくとも含む所定の画像領域から、当該画像領域に関する特性値を、画像領域特性値として算出する画像領域特性値算出手段と、
各入力輝度値に対して暗輝度値を対応付けた複数の異なる暗ルックアップテーブルのうち、上記ユニット特性値および画像領域特性値の組み合わせに対応する暗ルックアップテーブルを用いて、上記入力画像を構成する各画素の輝度値を、当該輝度値に対応する上記暗輝度値に変換することによって、暗画像を生成する暗画像生成手段と、
各入力輝度値に対して、当該入力輝度値に対応する上記暗輝度値以上の値の明輝度値を対応付けた複数の異なる明ルックアップテーブルのうち、上記ユニット特性値および画像領域特性値の組み合わせに対応する明ルックアップテーブルを用いて、上記入力画像を構成する各画素の輝度値を、当該輝度値に対応する上記明輝度値に変換することによって、明画像を生成する明画像生成手段と、
上記明画像および上記暗画像を、上記ユニットごとに混合することによって上記出力画像を生成する画像生成手段とを備えていることを特徴としている。
【００２３】
上記の構成によれば、画像変換装置は、ユニットに関する特性値を、ユニット特性値として算出する。例えば、画像変換装置は、ユニットに含まれる各画素の輝度の平均値をユニット特性値として算出する。また、画像変換装置は、所定の画像領域から、当該画像領域に関する特性値を、画像領域特性値として算出する。例えば、画像処理装置は、ユニットに隣接する複数の画素からなる領域から、複数の画素の輝度の平均値、最小値、及び、最大値を、画像領域特性値として算出する。また、画像領域特性値は、複数の画素の輝度の平均値のみであってもよい。
【００２４】
さらに、画像変換装置は、ユニット特性値および画像領域特性値に対応する明ルックアップテーブルを用いて、明画像を生成し、ユニット特性値および画像領域特性値に対応する暗ルックアップテーブルを用いて暗画像を生成し、明画像と暗画像を混合して出力画像を生成することができるので、画素ごとに周囲の画素の輝度値を１つ１つ参照して計算せずに、特性値を用いて、色ずれの発生がないように画像を変換することができる。即ち、画像変換装置は、簡略かつ効率的に、色ずれの発生がないように画像を変換することができるという効果を奏する。
【００２５】
本発明に係る画像変換方法は、上記課題を解決するために、
入力画像を出力画像に変換する画像変換方法であって、
上記入力画像の領域を分割して得られる複数の領域の各々を表わすユニットに関する特性値を、ユニット特性値として算出するユニット特性値算出工程と、
上記ユニットに隣接する複数の画素を少なくとも含む所定の画像領域から、当該画像領域に関する特性値を、画像領域特性値として算出する画像領域特性値算出工程と、
各入力輝度値に対して暗輝度値を対応付けた複数の異なる暗ルックアップテーブルのうち、上記ユニット特性値および画像領域特性値の組み合わせに対応する暗ルックアップテーブルを用いて、上記入力画像を構成する各画素の輝度値を、当該輝度値に対応する上記暗輝度値に変換することによって、暗画像を生成する暗画像生成工程と、
各入力輝度値に対して、当該入力輝度値に対応する上記暗輝度値以上の値の明輝度値を対応付けた複数の異なる明ルックアップテーブルのうち、上記ユニット特性値および画像領域特性値の組み合わせに対応する明ルックアップテーブルを用いて、上記入力画像を構成する各画素の輝度値を、当該輝度値に対応する上記明輝度値に変換することによって、明画像を生成する明画像生成工程と、
上記明画像および上記暗画像を、上記ユニットごとに混合することによって上記出力画像を生成する画像生成工程とを含んでいることを特徴としている。
【００２６】
上記の構成によれば、本発明に係る画像変換装置と同様の作用効果を奏する。
【００２７】
本発明に係る画像変換装置は、
上記所定の画像領域が、上記入力画像の全領域であることが望ましい。
【００２８】
上記の構成によれば、上記画像領域特性値をさらに高速に算出することができるという効果を奏する。
【００２９】
本発明に係る画像変換装置は、
上記所定の画像領域が、上記ユニットに隣接する複数の画素からなる領域であることが望ましい。
【００３０】
本発明に係る画像変換装置は、
上記画像領域特性値に、上記画像領域に含まれる画素の輝度の平均値が含まれることが望ましい。
【００３１】
本発明に係る画像変換装置は、
上記画像領域特性値に、上記画像領域に含まれる画素の輝度の最大値と最小値との平均値が含まれることが望ましい。
【００３２】
本発明に係る画像変換装置は、
上記画像領域特性値に、上記画像領域に含まれる画素の輝度の最頻値が含まれることが望ましい。
【００３３】
本発明に係る画像変換装置は、
上記暗画像生成手段が、
上記ユニットに含まれる画素の輝度の平均値から上記画像領域に含まれる画素の輝度の平均値を減じた値が小さくなるほど、上記ユニットに含まれる画素の輝度の平均値に対して対応づけられた上記暗輝度値が小さい上記暗ルックアップテーブルを用いて暗画像を生成し、
上記明画像生成手段が、
上記ユニットに含まれる画素の輝度の平均値から上記画像領域に含まれる画素の輝度の平均値を減じた値が小さくなるほど、上記ユニットに含まれる画素の輝度の平均値に対して対応づけられた上記明輝度値が大きい上記明ルックアップテーブルを用いて明画像を生成することが望ましい。
【００３４】
上記の構成によれば、色ずれをより改善することができるという効果を奏する。
【００３５】
本発明に係る液晶表示装置は、上記画像変換装置によって入力画像から変換された出力画像を表示することを特徴としている。
【００３６】
上記液晶表示装置は、負の誘電率異方性を有し、電圧無印加時に略垂直配向する液晶分子を含む液晶層を備えていることが望ましい。
【００３７】
なお、上記画像変換装置は、コンピュータによって実現しても良い。この場合、コンピュータを上記各手段として動作させることにより上記画像変換装置をコンピュータにおいて実現する画像変換プログラム、およびその画像変換プログラムを記録したコンピュータ読み取り可能な記録媒体も本発明の範疇に入る。
【発明の効果】
【００３８】
本発明に係る画像変換装置は、以上のように、ユニットに関する特性値を、ユニット特性値として算出し、所定の画像領域から、当該画像領域に関する所定の特性値を、画像領域特性値として算出する。次に、画像変換装置は、各入力輝度値に対して暗輝度値を対応付けた暗ルックアップテーブルであって、ユニット特性値および画像領域特性値に対応する暗ルックアップテーブルを用いて、暗画像を生成する。さらに、画像変換装置は、各入力輝度値に対して暗輝度値以上の値である明輝度値を対応付けた明ルックアップテーブルであって、ユニット特性値および画像領域特性値に対応する明ルックアップテーブルを用いて明画像を生成する。その後生成された暗画像と明画像とを混合して出力画像を生成する。
【００３９】
これにより、簡略かつ効率的に、色ずれの発生がないように画像を変換することができるという効果を奏する。
【発明を実施するための最良の形態】
【００４０】
〔実施形態１〕
本発明に係る液晶表示装置の一実施形態について図１、図２、図５〜図８、図１１、及び、図１６を用いて説明する。
【００４１】
（液晶表示装置１の構成）
本実施形態に係る液晶表示装置１の構成について図１を参照して以下に説明する。図１は、液晶表示装置１の要部構成を表わすブロック図である。液晶表示装置１は、システム装置１０から入力される映像信号に基づいて、画像全体の特性値（最大輝度値、最小輝度値、及び、平均輝度値など）を算出する。また、液晶表示装置１は、画像を構成する各ユニットについて、自ユニットに隣接する画像データの特性値（最大輝度値、最小輝度値、及び、平均輝度値など）、及び、ユニット自身の輝度値を算出する。液晶表示装置１は、算出された画像全体の特性値、ユニットに隣接する画像の特性値、及び、ユニットの輝度値を基に、ルックアップテーブルを選択して２つの輝度値（高輝度値、及び、低輝度値）を算出し、各ユニットについて、ユニットを構成する画素を、算出した高輝度値を持つ画素と低輝度値を持つ画素とに変換して表示する。
【００４２】
液晶表示装置１は、インターフェイス回路２、液晶駆動回路３、液晶パネル４、ルックアップテーブル５、白茶け補正レベル格納部６、及び、画像データ格納部７を備えている。
【００４３】
（液晶表示装置１の動作）
本実施形態に係る液晶表示装置１の動作について図２、図５、及び、図６を用いて説明する。図２は、システム装置１０から液晶表示装置１に映像信号が入力された場合における液晶表示装置１の動作を表わすフローチャートである。また、図５、及び、図６は、図２のフローチャートから呼び出されるサブルーチンのフローチャートである。
【００４４】
Ｓ１において、インターフェイス回路２は、システム装置１０から入力された映像信号を受信すると、受信した映像信号に基づいて得られる画像について、画像の解像度変換を行う。画像の解像度変換を行った後、画像を構成する各ユニットについてＲＧＢ各色の輝度値を算出する。また、画像データを画像データ格納部７に格納してＳ２に進む。ユニットについては、後述する。
【００４５】
Ｓ２において、インターフェイス回路２は、Ｓ１において画像データ格納部７に格納した画像データ全体を用いて、ＲＧＢ各色に対する画像データ全体の特性値（最大輝度値、最小輝度値、及び、平均輝度値など）を計算し、Ｓ３に進む。ここで、これらの特性値は明暗強調用の白茶け補正のために使用される。Ｓ３において、インターフェイス回路２は、Ｓ２において計算した特性値、及び、所定の明暗強調用マージン値を用いて、ＲＧＢ各色に対する平均以上閾値、及び、平均以下閾値を算出する。
【００４６】
Ｓ４において、インターフェイス回路２は、画像を構成する複数のユニットの中から、まだ明暗強調白茶け補正レベル、及び、輪郭強調白茶け補正レベルを計算していないユニットを１つ選択し、Ｓ５の明暗強調白茶け補正レベル計算処理サブルーチンに進む。Ｓ５は、図５におけるＳ３１〜Ｓ３３に対応する。
【００４７】
Ｓ３１において、インターフェイス回路２は、ＲＧＢの中で明暗強調白茶け補正レベルを計算していない色のうちいずれか１色に対し、Ｓ２において算出した画像データ全体の特性値、及び、自ユニットの輝度値、並びに、Ｓ３において算出した平均以上閾値及び平均以下閾値を用いて、明暗強調白茶け補正レベルを計算し、Ｓ３２に進む。Ｓ３２において、インターフェイス回路２は、Ｓ３１において計算した明暗強調白茶け補正レベルの値を白茶け補正レベル格納部６に格納し、Ｓ３３に進む。
【００４８】
Ｓ３３において、インターフェイス回路２は、ＲＧＢ全てについて明暗強調白茶け補正レベルを計算したか否かを判定する。ＲＧＢ全てについて明暗強調白茶け補正レベルを計算した場合（Ｓ３３においてＹＥＳ）、Ｓ６の輪郭強調白茶け補正レベル計算処理サブルーチンに進む。ここで、Ｓ６は、図６におけるＳ４１〜Ｓ４５に対応する。また、ＲＧＢの少なくとも１つに対し、明暗強調白茶け補正レベルを計算していない場合（Ｓ３３においてＮＯ）、Ｓ３１に戻る。
【００４９】
Ｓ４１において、インターフェイス回路２は、画像データ格納部７に格納した画像データのうち自ユニットに隣接する画像を用いて、ＲＧＢ各色に対して、自ユニットに隣接する画像データの特性値（最大輝度値、最小輝度値、及び、平均輝度値）を計算し、Ｓ４２に進む。ここで、これらの特性値は輪郭強調用の白茶け補正のために使用される。Ｓ４２において、インターフェイス回路２は、Ｓ４１において計算した特性値、及び、所定の輪郭強調用マージン値を用いて、ＲＧＢ各色に対して平均以上閾値、及び、平均以下閾値を算出する。
【００５０】
Ｓ４３において、インターフェイス回路２は、ＲＧＢの中で輪郭強調白茶け補正レベルを計算していない色のうちいずれか１色に対し、Ｓ４１において算出した自ユニットに隣接する画像の特性値、及び、自ユニットの輝度値、並びに、Ｓ４２において算出した平均以上閾値、及び、平均以下閾値を用いて、輪郭強調白茶け補正レベルを計算し、Ｓ４４に進む。Ｓ４４において、インターフェイス回路２は、白茶け補正レベル格納部６の値に、Ｓ４３において計算した明暗強調白茶け補正レベルの値を加算し、Ｓ４５に進む。
【００５１】
Ｓ４５において、インターフェイス回路２は、ＲＧＢ全てについて輪郭強調白茶け補正レベルを計算したか否かを判定する。ＲＧＢ全てについて輪郭強調白茶け補正レベルを計算した場合（Ｓ４５においてＹＥＳ）、Ｓ７に進む。また、ＲＧＢの少なくとも１つに対し輪郭強調白茶け補正レベルを計算していない場合（Ｓ４５においてＮＯ）、Ｓ４３に戻る。
【００５２】
Ｓ７において、インターフェイス回路２は、ＲＧＢ各色について各々、白茶け補正レベル格納部の値に応じた所定のルックアップテーブル（ＬＵＴ）をルックアップテーブル５から選択する。また、インターフェイス回路２は、ＲＧＢ各色について各々、選択されたルックアップテーブルを用いて、自ユニットを構成する明状態の輝度値、及び、暗状態の輝度値を算出し、Ｓ８に進む。
【００５３】
明状態の輝度値、及び、暗状態の輝度値を算出していないユニットが存在する場合（Ｓ８においてＹＥＳ）、Ｓ４に戻る。ユニットが存在しない場合（Ｓ８においてＮＯ）、Ｓ９に進む。
【００５４】
Ｓ９において、インターフェイス回路２は、Ｓ７において算出した各ユニットの明状態の輝度値、及び、暗状態の輝度値を液晶駆動回路３に出力する。液晶駆動回路３は、入力された各ユニットの明状態の輝度値、及び、暗状態の輝度値を元に、各ユニットについて、ユニットを構成する画素の一部の輝度値が明状態の輝度値になり、ユニットを構成する残りの画素の輝度値が暗状態の輝度値になるように、液晶パネル４の各画素に駆動電圧を印加する。これにより液晶パネル４に全体画像が表示される。
【００５５】
（ユニット）
画像を構成するユニットについて図１６を用いて説明する。
【００５６】
ユニットとは、複数の画素を組み合わせた画素群、または、複数フレームからなり各フレームが１つ以上の画素（群）から構成される画素群を意味する。
【００５７】
ユニットを構成する画素の一部を、ある輝度値を持つ画素とし、残りの画素を別の輝度値を持つ画素とし、２つの異なる輝度値をもつ画素を交互に配置したり、交互に表示したりすることにより、そのユニットは、人間の目から見て中間調になる。
【００５８】
例えば、図１６（ａ）に示すように、ユニットが、ある輝度値を持つ画素５１と別の輝度値を持つ画素５２とにより構成されている場合、画素５１の領域は、画素５２の領域、及び、ユニットの境界により、複数の領域に分割される。同様に、画素５２の領域は、画素５１の領域、及び、ユニットの境界により、複数の領域に分割される。ここで、画素５１の数と画素５２の数とが等しく、画素５１の領域の数、及び、画素５２の領域の数が多いほど、より多くの人間の目から見て、ユニットの階調が中間調に見えるようになる。
【００５９】
また、図１６（ｂ）に示すように、ユニットが、ある輝度値を持つ画素５１と別の輝度値を持つ５２とにより構成され、フレームが切り替わると、画素５１が表示されていた領域の画素の輝度値が、画素５２が表示されていた領域の画素の輝度値となり、画素５２が表示されていた領域の画素の輝度値が、画素５１が表示されていた領域の画素の輝度値となるものとする。この場合、フレームが高速に切り替わることにより、人間の目から見て、ユニットの階調が中間調に見えるようになる。
【００６０】
なお、ユニットの具体例として、図１６（ａ）、及び、図１６（ｂ）を挙げたが、ユニットとはこれらに限られるものではなく、１フレームに含まれる画素の数はいくつであってもよい。また、ユニットが複数フレームで構成される場合、フレーム数はいくつであってもよい。さらに、ユニットを構成する、ある輝度値を持つ画素の数と、異なる輝度値を持つ画素の数が等しくなくても良い。
【００６１】
（実施例）
本実施形態の１実施例について、図２、図７、図８、及び、図１１を用いて説明する。
【００６２】
まず、本実施例で使用するパラメータについて説明する。
【００６３】
図７で示される３組（明・暗セット）のＬＵＴに割り当てられたパラメータを表１に示す。
【００６４】
【表１】
2010014909.tif 000003
【００６５】
このように、３組のＬＵＴにパラメータを割り当てておくことにより、白茶け補正レベルの値をそのまま、階調変換（図２のＳ７）のために使用することができる。
【００６６】
次に、本実施例において使用するパラメータの種類と各パラメータのとりうる値について表２に示す。
【００６７】
【表２】
2010014909.tif 000004
【００６８】
なお、これらのパラメータの種類、及び、各パラメータのとりうる値の範囲、並びに、ルックアップテーブル（ＬＵＴ）は、あくまで本実施例において設定した一参考例であり、本実施形態に係る液晶表示装置は、これに限定されるものではない。
【００６９】
次に、本実施例における液晶表示装置１の動作を具体的に説明する。なお、入力される映像信号が表わす画像は、図１１（ａ）の画像である。
【００７０】
まず、液晶表示装置１のインターフェイス回路２は、画像の解像度変換を行う。ここで行う解像度変換とは、入力画像の解像度を、出力するユニット数に対応する解像度に変換する工程である。
【００７１】
本実施例では入力画像の解像度を４８０画素×３２０画素、１ユニットの構成を２画素×２画素とし、出力する解像度を４８０ユニット×３２０ユニットとし、９６０画素×６４０画素の解像度を持つ液晶表示装置に出力する場合において説明する。
【００７２】
図８は、入力画像の１画素に着目した場合について、本実施形態に係る液晶表示装置において行われる、画像の解像度変換（図８（ａ）の１画素から図８（ｂ）の２×２画素への変換）、及び、解像度変換された画像を明階調と暗階調とからなる画像に変換（図８（ｂ）の画像から図８（ｃ）の画像への変換）して出力することを示している。なお、本実施形態における液晶表示装置の各画素はＲＧＢの３色のサブピクセルから成り立っており、本実施例の解像度変換の適用後では２×２画素で１ユニットが構成されるため、各色４つのサブピクセルから成り立つユニットとして表示される。各色４つのサブピクセルのうち、２つのサブピクセル（２１ａ、２２ａ、２３ａ）を高輝度、残りの２つのサブピクセル（２１ｂ、２２ｂ、２３ｂ）を低輝度にて表示する。
【００７３】
図８に示すように、本実施形態に係る液晶表示装置において、入力される映像信号が表わす画像を構成する図８（ａ）の各画素が、図８（ｂ）のように、縦横それぞれ２倍される（ユニット）。次に得られた画像データを画像データ格納部７に格納する。また、所定の明暗強調用マージン値、及び、輪郭強調用マージン値は、予め画像データ格納部７に格納されている。本実施例においては、明暗強調用マージン値＝０．３、輪郭強調用マージン値＝０．１とする。
【００７４】
なお、本実施例において、図８（ｂ）の入力ユニットから明画像と暗画像とが作成、及び、合成されて、図８（ｃ）の出力ユニットになることを示している。この場合、入力解像度とユニット出力解像度とが等しくなるので、元画像の階調値と自ユニットの階調値とが等しくなり、図２のＳ１における各ユニット階調の算出を省略することができる。
【００７５】
次に、Ｓ２において、インターフェイス回路２は、画像データ全体における最大輝度階調、最小輝度階調、及び、平均輝度階調を算出する。本実施例において、Ｒの最大輝度階調／Ｒの最小輝度階調／Ｒの平均輝度階調＝２００／０／１００である。なお算出は、ＲＧＢ各色について行われるが、簡略のため、Ｒ一色に関する値のみを具体例として示す。
【００７６】
Ｓ３において、インターフェイス回路２は、ＲＧＢ各色について次の式に示すように平均以上閾値、及び、平均以下閾値を算出する。ここでは、Ｒ一色についてのみ具体例を示す。
【００７７】
Ｒの平均以上閾値＝（Ｒの最大輝度階調−Ｒの平均輝度階調）＊明暗強調用マージン＋Ｒの平均輝度階調
Ｒの平均以下閾値＝Ｒの平均輝度階調−（Ｒの最大輝度階調−Ｒの平均輝度階調）＊明暗強調用マージン
すなわち、Ｒの平均以上閾値＝（２００−１００）＊０．３＋１００＝１３０、Ｒの平均以下閾値＝１００−（２００−１００）＊０．３＝７０となる。
【００７８】
Ｓ４において、インターフェイス回路２は、処理対象のユニットを選択し、Ｓ５において、選択したユニットに対して、ＲＧＢ各色について明暗強調白茶け補正レベルを計算する。白茶け補正レベルは以下の式で表わされる。ここでは、Ｒ一色についてのみ具体例を示す。
Ｒの自ユニットの輝度階調＞Ｒの平均輝度階調の場合、
Ｒの白茶け補正レベル＝（Ｒの自ユニットの輝度階調―Ｒの平均輝度階調）／（Ｒの平均以上閾値−Ｒの平均輝度階調）
Ｒの自ユニットの輝度階調＜Ｒの平均輝度階調の場合、
Ｒの白茶け補正レベル＝（Ｒの自ユニットの輝度階調―Ｒの平均輝度階調）／｜（Ｒの平均以下閾値−Ｒの平均輝度階調）｜
Ｒの自ユニットの輝度階調＝Ｒの平均輝度階調の場合、
Ｒの白茶け補正レベル＝０
すなわち、選択したユニットが、Ｒの自ユニットの輝度階調＝１４０である場合、Ｒの白茶け補正レベル＝（１４０−１００）／（１３０−１００）＝１．３３となる。
【００７９】
なお、上記のように白茶け補正レベルの値を直線補完によって求めるのではなく、Ｒの自ユニットの輝度階調値に対して重み付けをしてもよいし、補完しなくてもよい。
【００８０】
次に、Ｓ６において、インターフェイス回路２は、選択したユニットに対してＲＧＢ各色について輪郭強調白茶け補正レベルを計算する。Ｓ６は図６のＳ４１〜Ｓ４５に対応する。
【００８１】
まず、Ｓ４１において、インターフェイス回路２は、自ユニットに隣接する画像における最大輝度階調、最小輝度階調、及び、平均輝度階調を算出する。処理している自ユニットにおいて、Ｒの最大輝度階調／Ｒの最小輝度階調／Ｒの平均輝度階調＝２００／１００／１５０であるとする。なお算出は、ＲＧＢ各色について行われるが、簡略のため、Ｒ一色に関する値のみを具体例として示す。
【００８２】
次に、Ｓ４２において、インターフェイス回路２は、ＲＧＢ各色について次の式に示すように平均以上閾値、及び、平均以下閾値を算出する。ここでは、Ｒ一色についてのみ具体例を示す。
【００８３】
Ｒの平均以上閾値＝（Ｒの最大輝度階調−Ｒの平均輝度階調）＊輪郭強調用マージン値＋Ｒの平均輝度階調
Ｒの平均以下閾値＝Ｒの平均輝度階調−（Ｒの最大輝度階調−Ｒの平均輝度階調）＊輪郭強調用マージン値
すなわち、Ｒの平均以上閾値＝（２００−１５０）＊０．１＋１５０＝１５５、Ｒの平均以下閾値＝１５０−（２００−１５０）＊０．１＝１４５となる。
【００８４】
Ｓ４３において、インターフェイス回路２は、自ユニットに対して、ＲＧＢ各色について輪郭強調白茶け補正レベルを計算する。白茶け補正レベルは以下の式で表わされる。ここでは、Ｒ一色についてのみ具体例を示す。
Ｒの自ユニットの輝度階調＞Ｒの平均輝度階調の場合、
Ｒの白茶け補正レベル＝Ｒの白茶け補正レベル＋（Ｒの自ユニットの輝度階調―Ｒの平均輝度階調）／（Ｒの平均以上閾値−Ｒの平均輝度階調）
Ｒの自ユニットの輝度階調＜Ｒの平均輝度階調の場合、
Ｒの白茶け補正レベル＝Ｒの白茶け補正レベル＋（Ｒの自ユニットの輝度階調―Ｒの平均輝度階調）／｜（Ｒの平均以下閾値−Ｒの平均輝度階調）｜
Ｒの自ユニットの輝度階調＝Ｒの平均輝度階調の場合、
Ｒの白茶け補正レベル＝Ｒの白茶け補正レベル
すなわち、選択したユニットが、Ｒの自ユニットの輝度階調＝１４０である場合、Ｒの白茶け補正レベル＝１．３３＋（１４０−１５０）／｜（１４５−１５０）｜＝―０．６７となる。
【００８５】
なお、上記のように白茶け補正レベルの値を直線補完によって求めるのではなく、自ユニットの輝度階調値に対して重み付けをしてもよいし、補完しなくてもよい。
【００８６】
Ｓ７において、インターフェイス回路２は、得られた白茶け補正レベルの値に基づいて、選択されたルックアップテーブル（ＬＵＴ）を用いて階調変換する。本実施例においては、
白茶け補正レベル＜＝−１：−１のＬＵＴを使用
−１＜白茶け補正レベル＜０：−１のＬＵＴと０のＬＵＴとを直線補完して使用
白茶け補正レベル＝０：０のＬＵＴを使用
０＜白茶け補正レベル＜１：０のＬＵＴと１のＬＵＴとを直線補完して使用
１＜＝白茶け補正レベル：１のＬＵＴを使用
に従ってＬＵＴを選択する。ここで、Ｒの白茶け補正レベル＝―０．６７であるので、０のＬＵＴと−１のＬＵＴとを使用するが、Ｒの自ユニットの輝度階調＝１４０の場合、図７に示すように、０のＬＵＴの明輝度、及び、暗輝度は、それぞれ、１８１、及び、７０であり、−１のＬＵＴの明輝度、及び、暗輝度は、それぞれ、１９０、及び、２４である。直接補完すると、明輝度は１８７、暗輝度は３９となる。
【００８７】
なお、Ｓ７において直線補完によって明輝度、及び、暗輝度を算出したが、直線補完ではなく、重み付けを行ってもよいし、補完を行わなくてもよい。
【００８８】
次にＳ８において、明輝度、及び、暗輝度を算出していないユニットがあれば、次のユニットの処理を行い、なければ、最後にＳ９において、インターフェイス回路２は、Ｓ７において算出した各ユニットの明状態の輝度値、及び、暗状態の輝度値を液晶駆動回路３に出力する。液晶駆動回路３は、入力された各ユニットの明状態の輝度値、及び、暗状態の輝度値を元に、各ユニットについて、ユニットを構成する画素の一部の輝度値が明状態の輝度値になり、ユニットを構成する残りの画素の輝度値が暗状態の輝度値になるように、液晶パネル４の各画素に駆動電圧を印加する。これにより液晶パネル４に全体画像が表示される。
【００８９】
（適用結果）
図１１（ｂ）は、図１１（ａ）の画像のうち右半分を上記のアルゴリズムを用いて変換して得られた画像を斜めから見た場合の画像である。また、図１１（ｃ）は、図１１（ａ）の画像のうち右半分を上記のアルゴリズムを用いて変換すると共に、左半分を従来の手法を用いて変換して得られた画像を正面から見た場合の画像である。従来の手法を用いて変換された左半分と右半分とを比較すれば確認できるとおり、明暗強調と輪郭強調とを組み合わせることにより、同じ色（階調）でも、周囲の状況にあわせて白茶けレベルを変化させることにより、斜めから見た場合においても白茶けが少なく、見やすい画像を表示することが可能となる。
【００９０】
〔実施形態２〕
本発明に係る液晶表示装置の別の一実施形態について図１、図３、及び、図５〜図９を用いて説明する。
【００９１】
（液晶表示装置１の構成）
本実施形態に係る液晶表示装置１の構成について図１を参照して以下に説明する。図１は、液晶表示装置１の要部構成を表わすブロック図である。液晶表示装置１は、システム装置１０から入力される映像信号に基づいて、画像全体の特性値（最大輝度値、最小輝度値、及び、平均輝度値など）を算出する。また、液晶表示装置１は、画像を構成する各ユニットについて、輝度値を算出する。液晶表示装置１は、算出された画像全体の特性値、ユニットの輝度値を基に、使用するルックアップテーブルを選択して２つの輝度値（高輝度値、及び、低輝度値）を算出し、各ユニットについて、ユニットを構成する画素を、算出した高輝度値を持つ画素と低輝度値を持つ画素とに変換して表示する。
【００９２】
液晶表示装置１は、インターフェイス回路２、液晶駆動回路３、液晶パネル４、ルックアップテーブル５、白茶け補正レベル格納部６、及び、画像データ格納部７を備えている。
【００９３】
（液晶表示装置１の動作）
本実施形態に係る液晶表示装置１の動作について図３、及び、図５を用いて説明する。図３は、システム装置１０から液晶表示装置１に映像信号が入力された場合における液晶表示装置１の動作を表わすフローチャートである。また、図５は、図３のフローチャートから呼び出されるサブルーチンのフローチャートである。
【００９４】
Ｓ１１において、インターフェイス回路２は、システム装置１０から入力された映像信号を受信すると、受信した映像信号に基づいて得られる画像について、画像の解像度変換を行う。画像の解像度変換を行った後、画像を構成する各ユニットについてＲＧＢ各色の輝度値を算出する。また、画像データを画像データ格納部７に格納してＳ１２に進む。ユニットの説明については、実施形態１において行っているので省略する。
【００９５】
Ｓ１２において、インターフェイス回路２は、Ｓ１１において画像データ格納部７に格納した画像データ全体を用いて、ＲＧＢ各色に対する画像データ全体の特性値（最大輝度値、最小輝度値、及び、平均輝度値など）を計算し、Ｓ１３に進む。ここで、これらの特性値は明暗強調用の白茶け補正のために使用される。Ｓ１３において、インターフェイス回路２は、Ｓ１２において計算した特性値、及び、所定の明暗強調用マージン値を用いて、ＲＧＢ各色に対する平均以上閾値、及び、平均以下閾値を算出する。
【００９６】
Ｓ１４において、インターフェイス回路２は、画像を構成する複数のユニットの中からまだ明暗強調白茶け補正レベルを計算していないユニットを１つ選択し、Ｓ１５の明暗強調白茶け補正レベル計算処理サブルーチンに進む。Ｓ１５は、図５におけるＳ３１〜Ｓ３３に対応する。
【００９７】
Ｓ３１において、インターフェイス回路２は、ＲＧＢの中で明暗強調白茶け補正レベルを計算していない色のうちいずれか１色に対し、Ｓ１２において算出した画像データ全体の特性値、及び、自ユニットの輝度値、並びに、Ｓ１３において算出した平均以上閾値、及び、平均以下閾値を用いて、明暗強調白茶け補正レベルを計算し、Ｓ３２に進む。Ｓ３２において、インターフェイス回路２は、Ｓ３１において計算した明暗強調白茶け補正レベルの値を白茶け補正レベル格納部６に格納し、Ｓ３３に進む。
【００９８】
Ｓ３３において、インターフェイス回路２は、ＲＧＢ全てに対し、明暗強調白茶け補正レベルを計算したか否かを判定する。ＲＧＢ全てに対し、明暗強調白茶け補正レベルを計算した場合（Ｓ３３においてＹＥＳ）、Ｓ１６に進む。また、ＲＧＢの少なくとも１つに対し、明暗強調白茶け補正レベルを計算していない場合（Ｓ３３においてＮＯ）、Ｓ３１に戻る。
【００９９】
Ｓ１６において、インターフェイス回路２は、ＲＧＢ各色について各々、白茶け補正レベル格納部の値に応じた所定のルックアップテーブル（ＬＵＴ）をルックアップテーブル５から選択する。また、インターフェイス回路２は、ＲＧＢ各色について各々、選択されたルックアップテーブルを用いて、自ユニットを構成する明状態の輝度値、及び、暗状態の輝度値を算出し、Ｓ１７に進む。
【０１００】
明状態の輝度値、及び、暗状態の輝度値を算出していないユニットが存在する場合（Ｓ１７においてＹＥＳ）、Ｓ１４に戻る。ユニットが存在しない場合（Ｓ１７においてＮＯ）、Ｓ１８に進む。
【０１０１】
Ｓ１８において、インターフェイス回路２は、Ｓ１６において算出した各ユニットの明状態の輝度値、及び、暗状態の輝度値を液晶駆動回路３に出力する。液晶駆動回路３は、入力された各ユニットの明状態の輝度値、及び、暗状態の輝度値を元に、各ユニットについて、ユニットを構成する画素の一部の輝度値が明状態の輝度値になり、ユニットを構成する残りの画素の輝度値が暗状態の輝度値になるように、液晶パネル４の各画素に駆動電圧を印加する。これにより液晶パネル４に全体画像が表示される。
【０１０２】
（実施例）
本実施形態の１実施例について、図３、図７、図８、及び、図９を用いて説明する。なお、本実施例において使用するパラメータの説明については、実施形態１の実施例の表１、及び、表２において説明されているので省略する。
【０１０３】
本実施例における液晶表示装置１の動作を具体的に説明する。なお、入力される映像信号が表わす画像は、図９（ａ）の画像である。
【０１０４】
液晶表示装置１のインターフェイス回路２は、画像の解像度変換を行う。
【０１０５】
図８は、本実施形態に係る液晶表示装置において行われる、画像の解像度変換を示している。
【０１０６】
図８に示すように、本実施形態に係る液晶表示装置において、入力される映像信号が表わす画像を構成する図８（ａ）の各画素が、図８（ｂ）のように、縦横それぞれ２倍される（ユニット）。次に得られた画像データを画像データ格納部７に格納する。また、所定の明暗強調用マージン値は、予め画像データ格納部７に格納されている。本実施例においては、明暗強調用マージン値＝０．３とする。
【０１０７】
なお、本実施例において、図８（ｂ）の入力ユニットから明画像と暗画像とが作成、及び、合成されて、図８（ｃ）の出力ユニットになることを示している。この場合、入力解像度とユニット出力解像度とが等しくなるので、元画像の階調値と自ユニットの階調値とが等しくなり、図３のＳ１１における各ユニット階調の算出を省略することができる。
【０１０８】
次に、Ｓ１２において、インターフェイス回路２は、画像データ全体における最大輝度階調、最小輝度階調、及び、平均輝度階調を算出する。本実施例において、Ｒの最大輝度階調／Ｒの最小輝度階調／Ｒの平均輝度階調＝２００／０／１００である。なお算出は、ＲＧＢ各色について行われるが、簡略のため、Ｒ一色に関する値のみを具体例として示す。
【０１０９】
Ｓ１３において、インターフェイス回路２は、ＲＧＢ各色について次の式に示すように平均以上閾値、及び、平均以下閾値を算出する。ここでは、Ｒ一色についてのみ具体例を示す。
【０１１０】
Ｒの平均以上閾値＝（Ｒの最大輝度階調−Ｒの平均輝度階調）＊明暗強調用マージン値＋Ｒの平均輝度階調
Ｒの平均以下閾値＝Ｒの平均輝度階調−（Ｒの最大輝度階調−Ｒの平均輝度階調）＊明暗強調用マージン値
すなわち、Ｒの平均以上閾値＝（２００−１００）＊０．３＋１００＝１３０、Ｒの平均以下閾値＝１００−（２００−１００）＊０．３＝７０となる。
【０１１１】
Ｓ１４において、インターフェイス回路２は処理対象のユニットを選択し、Ｓ１５において、選択したユニットに対して、インターフェイス回路２はＲＧＢ各色について明暗強調白茶け補正レベルを計算し、白茶け補正レベルとする。白茶け補正レベルは以下の式で表わされる。ここでは、Ｒ一色についてのみ具体例を示す。
Ｒの自ユニットの輝度階調＞Ｒの平均輝度階調の場合、
Ｒの白茶け補正レベル＝（Ｒの自ユニットの輝度階調―Ｒの平均輝度階調）／（Ｒの平均以上閾値−Ｒの平均輝度階調）
Ｒの自ユニットの輝度階調＜Ｒの平均輝度階調の場合、
Ｒの白茶け補正レベル＝（Ｒの自ユニットの輝度階調―Ｒの平均輝度階調）／｜（Ｒの平均以下閾値−Ｒの平均輝度階調）｜
Ｒの自ユニットの輝度階調＝Ｒの平均輝度階調の場合、
Ｒの白茶け補正レベル＝０
すなわち、選択したユニットが、Ｒの自ユニットの輝度階調＝１４０である場合、Ｒの白茶け補正レベル＝（１４０−１００）／（１３０−１００）＝１．３３となる。
【０１１２】
なお、上記のように白茶け補正レベルの値を直線補完によって求めるのではなく、自ユニットの輝度階調値に対して重み付けをしてもよいし、補完しなくてもよい。
【０１１３】
Ｓ１６において、インターフェイス回路２は、得られた白茶け補正レベルの値に基づいて選択されたルックアップテーブル（ＬＵＴ）を用いて階調変換する。本実施例においては、
白茶け補正レベル＜＝−１：−１のＬＵＴを使用
−１＜白茶け補正レベル＜０：−１のＬＵＴと０のＬＵＴとを直線補完して使用
白茶け補正レベル＝０：０のＬＵＴを使用
０＜白茶け補正レベル＜１：０のＬＵＴと１のＬＵＴとを直線補完して使用
１＜＝白茶け補正レベル：１のＬＵＴを使用
に従ってＬＵＴを選択する。ここで、Ｒの白茶け補正レベル＝１．３３であるので、１のＬＵＴを使用するが、自ユニットが、Ｒの自ユニットの輝度階調＝１４０の場合、図７に示すように、１のＬＵＴの明輝度、及び、暗輝度は、それぞれ、１４０である。
【０１１４】
なお、Ｓ１６において明輝度、及び、暗輝度を算出する際に、直線補完ではなく、重み付けを行ってもよいし、補完を行わなくてもよい。
【０１１５】
次にＳ１７において、明輝度、及び、暗輝度を算出していないユニットがあれば、Ｓ１４に戻って次のユニットの処理を行い、なければ、最後にＳ１８において、インターフェイス回路２は、Ｓ１６において算出した各ユニットの明状態の輝度値、及び、暗状態の輝度値を液晶駆動回路３に出力する。液晶駆動回路３は、入力された各ユニットの明状態の輝度値、及び、暗状態の輝度値を元に、各ユニットについて、ユニットを構成する画素の一部の輝度値が明状態の輝度値になり、ユニットを構成する残りの画素の輝度値が暗状態の輝度値になるように、液晶パネル４の各画素に駆動電圧を印加する。これにより液晶パネル４に全体画像が表示される。
【０１１６】
（適用結果）
図９（ｂ）は、図９（ａ）の画像のうち右半分を上記のアルゴリズムを用いて変換すると共に、左半分を従来の手法を用いて変換して得られた画像を斜めから見た場合の画像である。また、図９（ｃ）は、図９（ａ）の画像のうち右半分を上記のアルゴリズムを用いて変換すると共に、左半分を従来の手法を用いて変換して得られた画像を正面から見た場合の画像である。図９（ｂ）の画像の右半分を見るとわかるとおり、画像全体の階調データを読み取り、その平均よりも明るい場合には、白茶け補正を最小にし、その平均よりも暗い場合には、白茶け補正を最大とすることにより、斜めから見ても輝度があまり下がらず、メリハリのある画像を表示することができる。
【０１１７】
〔実施形態３〕
本発明に係る液晶表示装置のさらに別の一実施形態について図１、図４、図６〜図８、及び、図１０を用いて説明する。
【０１１８】
（液晶表示装置１の構成）
本実施形態に係る液晶表示装置１の構成について図１を参照して以下に説明する。図１は、液晶表示装置１の要部構成を表わすブロック図である。液晶表示装置１は、システム装置１０から入力される映像信号に基づいて、画像を構成する各ユニットについて、自ユニットに隣接する画像データの特性値（最大輝度値、最小輝度値、及び、平均輝度値など）、及び、ユニット自身の輝度値を算出する。液晶表示装置１は、算出された自ユニットに隣接する画像の特性値、及び、自ユニットの輝度値を基に、使用するルックアップテーブルを選択して２つの輝度値（高輝度値、及び、低輝度値）を算出し、各ユニットについて、ユニットを構成する画素を、算出した高輝度値を持つ画素と低輝度値を持つ画素とに変換して表示する。
【０１１９】
液晶表示装置１は、インターフェイス回路２、液晶駆動回路３、液晶パネル４、ルックアップテーブル５、白茶け補正レベル格納部６、及び、画像データ格納部７を備えている。
【０１２０】
（液晶表示装置１の動作）
本実施形態に係る液晶表示装置１の動作について図４、及び、図６を用いて説明する。図４は、システム装置１０から液晶表示装置１に映像信号が入力された場合における液晶表示装置１の動作を表わすフローチャートである。また、図６は、図４のフローチャートから呼び出されるサブルーチンのフローチャートである。
【０１２１】
Ｓ２１において、インターフェイス回路２は、システム装置１０から入力された映像信号を受信すると、受信した映像信号に基づいて得られる画像について、画像の解像度変換を行う。画像の解像度変換を行った後、画像を構成する各ユニットについてＲＧＢ各色の輝度値を算出する。また、画像データを画像データ格納部７に格納してＳ２２に進む。ユニットの説明については、実施形態１において行っているので省略する。
【０１２２】
Ｓ２２において、インターフェイス回路２は、画像を構成する複数のユニットの中から、まだ輪郭強調白茶け補正レベルを計算していないユニットを１つ選択し、Ｓ２３の輪郭強調白茶け補正レベル計算処理サブルーチンに進む。Ｓ２３は、図６におけるＳ４１〜Ｓ４５に対応する。
【０１２３】
Ｓ４１において、インターフェイス回路２は、画像データ格納部７に格納した画像データのうち自ユニットに隣接する画像を用いて、ＲＧＢ各色に対する、自ユニットに隣接する画像データの特性値（最大輝度値、最小輝度値、及び、平均輝度値）を計算し、Ｓ４２に進む。ここで、これらの特性値は輪郭強調用の白茶け補正のために使用される。Ｓ４２において、インターフェイス回路２は、Ｓ４１において計算した特性値、及び、所定の輪郭強調用マージン値を用いて、ＲＧＢ各色に対する平均以上閾値、及び、平均以下閾値を算出する。
【０１２４】
Ｓ４３において、インターフェイス回路２は、ＲＧＢの中で輪郭強調白茶け補正レベルを計算していない色のうちいずれか１色に対し、Ｓ４１において算出した自ユニットに隣接する画像の特性値、及び、自ユニットの輝度値、並びに、Ｓ４２において算出した平均以上閾値、及び、平均以下閾値を用いて、輪郭強調白茶け補正レベルを計算し、Ｓ４４に進む。Ｓ４４において、インターフェイス回路２は、白茶け補正レベル格納部６の値を０にした後、Ｓ４３において計算した明暗強調白茶け補正レベルの値を加算し、Ｓ４５に進む。
【０１２５】
Ｓ４５において、インターフェイス回路２は、ＲＧＢ全てに対し、輪郭強調白茶け補正レベルを計算したか否かを判定する。ＲＧＢ全てに対し、輪郭強調白茶け補正レベルを計算した場合（Ｓ４５においてＹＥＳ）、Ｓ２４に進む。また、ＲＧＢの少なくとも１つに対し、輪郭強調白茶け補正レベルを計算していない場合（Ｓ４５においてＮＯ）、Ｓ４３に戻る。
【０１２６】
Ｓ２４において、インターフェイス回路２は、ＲＧＢ各色について各々、白茶け補正レベル格納部の値に応じた所定のルックアップテーブル（ＬＵＴ）をルックアップテーブル５から選択する。また、インターフェイス回路２は、ＲＧＢ各色について各々、選択されたルックアップテーブルを用いて、自ユニットを構成する明状態の輝度値、及び、暗状態の輝度値を算出し、Ｓ２５に進む。
【０１２７】
明状態の輝度値、及び、暗状態の輝度値を算出していないユニットが存在する場合（Ｓ２５においてＹＥＳ）、Ｓ２２に戻る。ユニットが存在しない場合（Ｓ２５においてＮＯ）、Ｓ２６に進む。
【０１２８】
Ｓ２６において、インターフェイス回路２は、Ｓ２４において算出した各ユニットの明状態の輝度値、及び、暗状態の輝度値を液晶駆動回路３に出力する。液晶駆動回路３は、入力された各ユニットの明状態の輝度値、及び、暗状態の輝度値を元に、各ユニットについて、ユニットを構成する画素の一部の輝度値が明状態の輝度値になり、ユニットを構成する残りの画素の輝度値が暗状態の輝度値になるように、液晶パネル４の各画素に駆動電圧を印加する。これにより液晶パネル４に全体画像が表示される。
【０１２９】
（実施例）
本実施形態の１実施例について、図４、図７、図８、及び、図１０を用いて説明する。なお、本実施例で使用するパラメータの説明については、実施形態１の実施例の表１、及び、表２において説明されているので省略する。
【０１３０】
本実施例における液晶表示装置１の動作を具体的に説明する。なお、入力される映像信号が表わす画像は、図１０（ａ）の画像である。
【０１３１】
まず、液晶表示装置１のインターフェイス回路２は、画像の解像度変換を行う。
【０１３２】
図８は、本実施形態に係る液晶表示装置において行われる、画像の解像度変換を示している。
【０１３３】
図８に示すように、本実施形態に係る液晶表示装置において、入力される映像信号が表わす画像を構成する図８（ａ）の各画素が、図８（ｂ）のように、縦横それぞれ２倍される（ユニット）。次に得られた画像データを画像データ格納部７に格納する。また、輪郭強調用マージン値は、予め画像データ格納部７に格納されている。本実施例においては、輪郭強調用マージン値＝０．１とする。
【０１３４】
なお、本実施例において、図８（ｂ）の入力ユニットから明画像と暗画像とが作成、及び、合成されて、図８（ｃ）の出力ユニットになることを示している。この場合、入力解像度とユニット出力解像度とが等しくなるので、元画像の階調値と自ユニットの階調値とが等しくなり、図４のＳ２１における各ユニット階調の算出を省略することができる。
【０１３５】
次に、Ｓ２２において、インターフェイス回路２は、処理対象のユニットを選択する。Ｓ２３において、選択したユニットに対して、ＲＧＢ各色について輪郭強調白茶け補正レベルを計算する。Ｓ２３は図６のＳ４１〜Ｓ４５に対応する。
【０１３６】
まず、Ｓ４１において、インターフェイス回路２は、自ユニットに隣接する画像における最大輝度階調、最小輝度階調、及び、平均輝度階調を算出する。処理している自ユニットにおいて、Ｒの最大輝度階調／Ｒの最小輝度階調／Ｒの平均輝度階調＝２００／１００／１５０であるとする。なお算出は、ＲＧＢ各色について行われるが、簡略のため、Ｒ一色に関する値のみを具体例として示す。
【０１３７】
次に、Ｓ４２において、インターフェイス回路２は、ＲＧＢ各色について次の式に示すように平均以上閾値、及び、平均以下閾値を算出する。ここでは、Ｒ一色についてのみ具体例を示す。
【０１３８】
Ｒの平均以上閾値＝（Ｒの最大輝度階調−Ｒの平均輝度階調）＊輪郭強調用マージン値＋Ｒの平均輝度階調
Ｒの平均以下閾値＝Ｒの平均輝度階調−（Ｒの最大輝度階調−Ｒの平均輝度階調）＊輪郭強調用マージン値
すなわち、Ｒの平均以上閾値＝（２００−１５０）＊０．１＋１５０＝１５５、Ｒの平均以下閾値＝１５０−（２００−１５０）＊０．１＝１４５となる。
【０１３９】
Ｓ４３において、インターフェイス回路２は、自ユニットに対して、ＲＧＢ各色について輪郭強調白茶け補正レベルを計算する。白茶け補正レベルは以下の式で表わされる。ここでは、Ｒ一色についてのみ具体例を示す。
Ｒの自ユニットの輝度階調＞Ｒの平均輝度階調の場合、
Ｒの白茶け補正レベル＝（Ｒの自ユニットの輝度階調―Ｒの平均輝度階調）／（Ｒの平均以上閾値−Ｒの平均輝度階調）
Ｒの自ユニットの輝度階調＜Ｒの平均輝度階調の場合、
Ｒの白茶け補正レベル＝（Ｒの自ユニットの輝度階調―Ｒの平均輝度階調）／｜（Ｒの平均以下閾値−Ｒの平均輝度階調）｜
Ｒの自ユニットの輝度階調＝Ｒの平均輝度階調の場合、
Ｒの白茶け補正レベル＝０
すなわち、選択したユニットが、Ｒの自ユニットの輝度階調＝１４０である場合、Ｒの白茶け補正レベル＝（１４０−１５０）／｜（１４５−１５０）｜＝―２となる。
【０１４０】
なお、上記のように白茶け補正レベルの値を直線補完によって求めるのではなく、自ユニットの輝度階調値に対して重み付けをしてもよいし、補完しなくてもよい。
【０１４１】
Ｓ２４において、得られた白茶け補正レベルの値に基づいて、選択されたルックアップテーブル（ＬＵＴ）を用いて階調変換する。本実施例においては、
白茶け補正レベル＜＝−１：−１のＬＵＴを使用
−１＜白茶け補正レベル＜０：−１のＬＵＴと０のＬＵＴとを直線補完して使用
白茶け補正レベル＝０：０のＬＵＴを使用
０＜白茶け補正レベル＜１：０のＬＵＴと１のＬＵＴとを直線補完して使用
１＜＝白茶け補正レベル：１のＬＵＴを使用
に従ってＬＵＴを選択する。ここで、Ｒの白茶け補正レベル＝―２であるので、−１のＬＵＴを使用するが、自ユニットが、Ｒの自ユニットの輝度階調＝１４０の場合、図７に示すように、−１のＬＵＴの明輝度、及び、暗輝度は、それぞれ、１９０、及び、２４である。
【０１４２】
なお、Ｓ２４において明輝度、及び、暗輝度を算出する際に、直線補完ではなく、重み付けを行ってもよいし、補完を行わなくてもよい。
【０１４３】
次にＳ２５において、明輝度、及び、暗輝度を算出していないユニットがあれば、Ｓ２２に戻って次のユニットの処理を行い、なければ、最後にＳ２６において、インターフェイス回路２は、Ｓ２４において算出した各ユニットの明状態の輝度値、及び、暗状態の輝度値を液晶駆動回路３に出力する。液晶駆動回路３は、入力された各ユニットの明状態の輝度値、及び、暗状態の輝度値を元に、各ユニットについて、ユニットを構成する画素の一部の輝度値が明状態の輝度値になり、ユニットを構成する残りの画素の輝度値が暗状態の輝度値になるように、液晶パネル４の各画素に駆動電圧を印加する。これにより液晶パネル４に全体画像が表示される。
【０１４４】
（適用結果）
図１０（ｂ）は、図１０（ａ）の画像のうち右半分を上記のアルゴリズムを用いて変換すると共に、左半分を従来の手法を用いて変換して得られた画像を斜めから見た場合の画像である。また、図１０（ｃ）は、図１０（ａ）の画像のうち右半分を上記のアルゴリズムを用いて変換すると共に、左半分を従来の手法を用いて変換して得られた画像を正面から見た場合の画像である。自ユニットと隣り合う画素の輝度の平均値を比較し、自ユニットの輝度が、隣り合う画素の輝度の平均値よりも大きければ、白茶け補正を小さくする。また、自ユニットの輝度が隣り合う画素の輝度の平均値よりも小さければ、白茶け補正を大きくする。これにより、輪郭が強調され、メリハリのある画像を表示することができる。
【０１４５】
（液晶表示装置１の利点）
以上のように本発明の各実施形態に係る液晶表示装置は、各ユニットにおいて自ユニットに隣接する画像の特性値、または、画像全体の特性値の少なくとも一方を算出し、算出した特性値に基づいて画像を変換するので、各画素において隣接する１からｎ個の画素の輝度を１つ１つ参照して画像を変換することに比べて、斜めから見ても白茶け現象がなく、色ずれのない画像を高速で変換することができる。
【０１４６】
（プログラム、記録媒体）
また、液晶表示装置（画像変換装置）１に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１４７】
すなわち、液晶表示装置１は、各機能を実現する制御プログラムのプログラムコード（実行形式プログラム、中間コードプログラム、ソースプログラム）をコンピュータで読み取り可能に記録していればよい。液晶表示装置１（またはＣＰＵやＭＰＵ）が、供給された記録媒体に記録されているプログラムコードを読み出し、実行すればよい。
【０１４８】
プログラムコードを液晶表示装置１に供給する記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１４９】
また液晶表示装置１は、通信ネットワークと接続可能に構成しても、本発明の目的を達成できる。この場合、上記のプログラムコードを、通信ネットワークを介して液晶表示装置１に供給する。この通信ネットワークは、液晶表示装置１にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、移動体通信網、衛星通信網等であればよい。
【０１５０】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線などの有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１５１】
（付記事項）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１５２】
また、各実施形態において、特性値として最大輝度値、最小輝度値、及び、平均輝度値を用いた場合を例に実施例の説明を行ったが、特性値は、これらに限られるものではない。例えば、特性値に、輝度の中央値、輝度の最頻値、または、最大輝度値と最小輝度値との平均値を含んでも良い。
【産業上の利用可能性】
【０１５３】
本発明に係る画像変換装置は、大画面の液晶テレビなど、大人数で見ることが想定され、角度のないところから画面を見ることが想定される機器に適用するなど、幅広く利用することができる。
【図面の簡単な説明】
【０１５４】
【図１】本発明の実施形態１〜３に係る液晶表示装置の要部構成を示すブロック図である。
【図２】本発明の実施形態１に係る液晶表示装置の動作を表わすフローチャートである。
【図３】本発明の実施形態２に係る液晶表示装置の動作を表わすフローチャートである。
【図４】本発明の実施形態３に係る液晶表示装置の動作を表わすフローチャートである。
【図５】本発明の実施形態１、及び、２から呼び出されるサブルーチンのフローチャートである。
【図６】本発明の実施形態１、及び、３から呼び出されるサブルーチンのフローチャートである。
【図７】本発明の実施形態１〜３の各実施例で使用するルックアップテーブル（ＬＵＴ）を示す図である。
【図８】本発明の実施形態１〜３の各実施例で使用される、画像の解像度変換、及び、入力ユニットを低輝度画素、高輝度画素で構成される出力ユニットに変換することを示す図である。
【図９】同一の風景画像を左右に並べて合成した画像、該合成した画像の右半分に対して本発明の実施形態２の実施例における画像変換を適用するとともに、該合成した画像の左半分に対して従来の手法を適用して得られた画像を斜めから見た場合の画像、及び、該得られた画像を正面から見た場合の画像からなる図である。
【図１０】同一の風景画像を左右に並べて合成した画像、該合成した画像の右半分に対して本発明の実施形態３の実施例における画像変換を適用するとともに、該合成した画像の左半分に対して従来の手法を適用して得られた画像を斜めから見た場合の画像、及び、該得られた画像を正面から見た場合の画像からなる図である。
【図１１】同一の風景画像を左右に並べて合成した画像、該合成した画像の右半分に対して本発明の実施形態１の実施例における画像変換を適用するとともに、該合成した画像の左半分に対して従来の手法を適用して得られた画像を斜めから見た場合の画像、及び、該得られた画像を正面から見た場合の画像からなる図である。
【図１２】従来技術において、画像変換処理を行わずに入力画像をそのまま表示した場合において、様々な角度から画像を見た場合の階調−輝度特性を示す図である。
【図１３】従来技術において、画像変換処理を行わずに入力画像をそのまま表示した場合において、正面から見た場合の画像と、斜めから見た場合の画像との差異を示す図である。
【図１４】従来技術において、画像変換処理を行わずに入力画像をそのまま表示した場合における様々な角度から画像を見た場合の階調−輝度特性と、中間調領域を低輝度画素と高輝度画素を組み合わせた画像に変換して表示した場合における斜め６０度から画像を見た場合の階調−輝度特性とを比較した図ある。
【図１５】従来技術において、中間調領域を低輝度画素と高輝度画素を組み合わせた画像に変換して表示した場合に、正面から見た場合の画像と、斜めから見た場合の画像との差異を示す図である。
【図１６】本発明の各実施形態において使用されるユニットの概念について説明する図である。
【図１７】従来技術において、中間調領域を低輝度画素と高輝度画素を組み合わせた画像に変換して表示した場合に、画像変換処理を行わない場合に比べて中間調領域の輝度が下がることを説明する輝度−階調特性の図である。
【図１８】従来技術において、中間調領域を低輝度画素と高輝度画素を組み合わせた画像に変換して表示し、斜めから見た場合の画面と画像変換処理を行わない場合の画面との差異を示す図である。
【図１９】従来技術の別の画像処理方法において、画素を構成するＲＧＢの各サブピクセルに適用するルックアップテーブル（ＬＵＴ）を選択する動作を示すフローチャートである。
【図２０】従来技術の別の画像処理方法を適用した例において使用される入力画像、及び、出力画像である。
【符号の説明】
【０１５５】
１      液晶表示装置（画像変換装置）
２      インターフェイス回路
３      液晶駆動回路
４      液晶パネル
５      ルックアップテーブル
６      白茶け補正レベル格納部
７      画像データ格納部
１０    システム装置
２１    赤のサブピクセル
２１a  高輝度の赤のサブピクセル
２１ｂ  低輝度の赤のサブピクセル
２２    緑のサブピクセル
２２a  高輝度の緑のサブピクセル
２２ｂ  低輝度の緑のサブピクセル
２３    青のサブピクセル
２３a  高輝度の青のサブピクセル
２３ｂ  低輝度の青のサブピクセル
３１  駆動電圧１Ｖの画素で構成される画像領域
３２  駆動電圧３Ｖの画素で構成される画像領域
３３  駆動電圧５Ｖの画素で構成される画像領域
４１  駆動電圧１Ｖの画素で構成される画像領域
４２  駆動電圧１Ｖの画素と駆動電圧５Ｖの画素とから構成される画像領域
４３  駆動電圧５Ｖの画素で構成される画像領域
【図１】
2010014909.tif 000005
【図２】
2010014909.tif 000006
【図３】
2010014909.tif 000007
【図４】
2010014909.tif 000008
【図５】
2010014909.tif 000009
【図６】
2010014909.tif 000010
【図７】
2010014909.tif 000011
【図８】
2010014909.tif 000012
【図１２】
2010014909.tif 000013
【図１３】
2010014909.tif 000014
【図１４】
2010014909.tif 000015
【図１５】
2010014909.tif 000016
【図１６】
2010014909.tif 000017
【図１７】
2010014909.tif 000018
【図１８】
2010014909.tif 000019
【図１９】
2010014909.tif 000020
【図９】
2010014909.tif 000021
【図１０】
2010014909.tif 000022
【図１１】
2010014909.tif 000023
【図２０】
2010014909.tif 000024